(57)【要約】【課題】コストアップを抑制しつつ、動作状態の表示を行うとともに、手動投入による危険性を回避することが可能な電磁接触器を提供する。【解決手段】上部フレーム２上には、本体フレームとは別体として構成された消弧装置２３が主可動接触子を覆うように配置され、支持枠７ｄには、消弧装置２３の窓枠を貫通して動作表示を行う突起部７ｂを支持枠７ｄに一体的に設け、消弧装置２３の窓枠には、突起部７ｂを表示する表示孔３ｂを形成する。【選択図】      図１
2008027656.tif 000002
【特許請求の範囲】
【請求項１】
接点支持部を収容する本体フレームと、
オン／オフ信号に基づいて前記接点支持部をスライド移動させる電磁石と、
前記接点支持部に一体的に設けられ、主可動接触子を外側上面に保持する支持枠と、
前記本体フレームとは別体として構成され、前記本体フレーム上に配置された消弧装置と、
前記支持枠に一体的に設けられ、前記消弧装置の窓枠を貫通して動作表示を行うとともに、オフ状態時に前記消弧装置の上面とほぼ面一になるように構成された突起部とを備えることを特徴とする電磁接触器。
【請求項２】
前記突起部は、多相として構成された前記支持枠の両外側の２箇所に設けられていることを特徴とする請求項１記載の電磁接触器。
【発明の詳細な説明】
【技術分野】
【０００１】
本発明は電磁接触器に関し、特に、電磁接触器の動作表示構造に適用して好適なものである。
【背景技術】
【０００２】
電磁接触器は、電磁石の吸引力により接点を開閉できるもので、モータなどの負荷の自動開閉用として使用される。ここで、ＡＣ２００Ｖ４５ＫＷの比較的大容量の機種では、接点支持枠の内側に角窓を形成し、この部分に主可動接触子を収納して保持する構造と、接点支持枠の外側上面に主可動接触子を保持する構造とがある。
そして、接点支持枠の内側に角窓を形成する構造では、特許文献１に開示されているように、接点支持枠の角窓上部を延長突出させることで、電磁接触器の動作状態を表示させることができる。
【０００３】
一方、接点支持枠の外側上面に主可動接触子を保持する構造では、接点支持枠の上面に主可動接触子、緩衝ばねおよびこれらを保持する支持金具があり、接点支持枠を単に延長させて電磁接触器の動作表示として活用することができないため、本体フレームとは分離された消弧装置に動作表示機構が別部品で設けられていた。
図５は、従来の電磁接触器の概略構成を示す正面図、図６は、従来の電磁接触器の概略構成を示す斜視図、図７は、従来の電磁接触器のオフ状態時における概略構成を示す縦断面図、図８は、従来の電磁接触器のオフ状態時における概略構成を示す横断面図、図９は、従来の電磁接触器のオン状態時における概略構成を示す縦断面図、図１０は、従来の接点支持部７の概略構成を示す斜視図である。
【０００４】
図５から図１０において、電磁接触器には、本体フレームとして下部フレーム１および上部フレーム２が設けられている。そして、下部フレーム１には、固定鉄心５ａが設けられた固定電磁石５がこれに指令を与える電子ユニット４とともに固定されている。
そして、固定電磁石５上には可動鉄心６が対向配置され、可動鉄心６には、バックスプリングガイド８および連結ピン１０を介して上部フレーム２にスライド自在に案内された接点支持部７が連結されている。
【０００５】
ここで、バックスプリングガイド８は一端が開放された角箱状を呈し、バックスプリングガイド８にはバックスプリング９が内装され、バックスプリング９は、バックスプリングガイド８に対向して上部フレーム２に固定されたバックスプリング受けによって保持されている。
また、接点支持部７には角柱状の支持枠７ｄが形成され、支持枠７ｄにて支持金具１１が支持枠上面７ａに案内されている。そして、支持金具１１の内側には、緩衝バネ１３を介して主可動接点１２が搭載され、主可動接点１２の反対側には、支持枠７ｄに内装された主接触スプリング１４が配置されている。
【０００６】
また、上部フレーム２には、主端子板１５およびこれに接触する主固定接点１６が固定され、上部フレーム２の両側には、補助接点ユニット２０が搭載され、上部フレーム２上には、主可動接点１２および主固定接点１６を覆うようにして消弧装置３が配置されている。
ここで、消弧装置３には導弧板１７が設けられるとともに、消弧装置３の上面３ｃの中央には角孔３ａが形成されている。そして、消弧装置３の中央には、支持金具１１の上面に接するように表示棒１８が配置され、表示棒１８は、導弧板１７および表示棒１８を付勢する圧縮スプリング１９にて保持され、外部に露出する形で角孔３ａにスライド自在に案内されている。
【０００７】
そして、図７において、電子ユニット４を介して固定電磁石５を励磁すると、可動鉄心６が固定鉄心５ａに吸着され、これに連動して接点支持部７は固定鉄心５ａの方向に移動し、主可動接点１２は主固定接点１６に接触する。そして、接点支持部７に連動して支持金具１１が固定鉄心５ａの方向に移動すると、図９に示すように、表示棒１８は、圧縮スプリング１９によって支持金具１１とともに導弧板１７で止められる位置まで固定鉄心５ａの方向に移動し、消弧装置３の上面３ｃから引っ込んだ状態になることで、電磁接触器のオン状態を表示することができる。
【０００８】
そして、固定電磁石５の励磁が解かれると、図７に示すように、可動鉄心６はバックスプリング９によって元の状態に復帰し、表示棒１８が支持金具１１にて押し戻されて、消弧装置３の上面３ｃと面一の状態になることで、電磁接触器のオフ状態を表示することができる。
【特許文献１】実公平４−３３６２８号公報
【発明の開示】
【発明が解決しようとする課題】
【０００９】
しかしながら、電磁接触器の動作状態を表示させるために、本体フレームとは分離された消弧装置に動作表示機構を別部品で設ける方法では、電磁接触器の部品点数が増大し、電磁接触器のコストアップを招くという問題があった。
一方、接点支持枠の角窓上部を延長突出させる方法では、動作表示機構と接点支持枠とが一体となっているため、構造的に電磁接触器の手動投入ができるようになり、安全性に劣るという問題があった。
【００１０】
さらに、いずれの構造においても、表示部が消弧装置の中央にくるため、この上面に定格などの表示を行う場合に角穴によって制限を受けたり、貼り付け銘板の中央をくり貫く必要があることから、銘板のコストアップを招くという問題があった。
そこで、本発明の目的は、コストアップを抑制しつつ、動作状態の表示を行うとともに、手動投入による危険性を回避することが可能な電磁接触器を提供することである。
【課題を解決するための手段】
【００１１】
上述した課題を解決するために、請求項１記載の電磁接触器によれば、接点支持部を収容する本体フレームと、オン／オフ信号に基づいて前記接点支持部をスライド移動させる電磁石と、前記接点支持部に一体的に設けられ、主可動接触子を外側上面に保持する支持枠と、前記本体フレームとは別体として構成され、前記本体フレーム上に配置された消弧装置と、前記支持枠に一体的に設けられ、前記消弧装置の窓枠を貫通して動作表示を行うとともに、オフ状態時に前記消弧装置の上面とほぼ面一になるように構成された突起部とを備えることを特徴とする。
また、請求項２記載の電磁接触器によれば、前記突起部は、多相として構成された前記支持枠の両外側の２箇所に設けられていることを特徴とする。
【発明の効果】
【００１２】
以上説明したように、本発明によれば、支持枠に突起部を一体的に設けることにより、消弧装置に動作表示機構を別部品で設けることなく、電磁接触器の動作状態を表示させることが可能となるとともに、消弧装置の上面に角穴を形成する必要がなくなり、コストアップを抑制することが可能となる。また、オフ状態時に突起部が消弧装置の上面とほぼ面一になるようにすることで、電磁接触器の手動投入を防止することができ、安全性を向上させることができる。
さらに、多相として構成された支持枠の両外側の２箇所に突起部を設けることで、点検前に接点の溶着状態を推測することが可能となり、電磁接触器の保守性を向上させることができる。
【発明を実施するための最良の形態】
【００１３】
以下、本発明の実施形態に係る電磁接触器について図面を参照しながら説明する。
図１は、本発明の一実施形態に係る電磁接触器の概略構成を示す正面図、図２は、本発明の一実施形態に係る電磁接触器の概略構成を示す斜視図、図３は、本発明の一実施形態に係る消弧装置２３の概略構成を示す斜視図、図４は、本発明の一実施形態に係る接点支持部２７の概略構成を示す斜視図である。なお、図５から図１０の電磁接触器の同一部分については同一符号を付し、説明を省略する。
【００１４】
図１から図４において、下部フレーム１および上部フレーム２が設けられた本体フレームには接点支持部２７が収容され、接点支持部２７には、主可動接触子を外側上面に保持する支持枠７ｄが一体的に設けられている。また、上部フレーム２上には、本体フレームとは別体として構成された消弧装置２３が主可動接触子を覆うように配置されている。そして、支持枠７ｄには、消弧装置２３の窓枠を貫通して動作表示を行う突起部７ｂが支持枠７ｄに一体的に設けられ、消弧装置２３の窓枠には、突起部７ｂを外部に露出させる表示孔３ｂが形成されている。なお、突起部７ｂは、電磁接触器のオフ状態時に消弧装置２３の上面２３ｃとほぼ面一になるように構成することができる。また、突起部７ｂは、多相として構成された支持枠７ｄの両外側の２箇所に設けることができる。
【００１５】
そして、図７の電子ユニット４を介して固定電磁石５を励磁すると、可動鉄心６が固定鉄心５ａに吸着され、これに連動して接点支持部２７は固定鉄心５ａの方向に移動し、主可動接点１２は主固定接点１６に接触するとともに、突起部７ｂが消弧装置２３の上面２３ｃから引っ込んだ状態になることで、電磁接触器のオン状態を表示することができる。
そして、固定電磁石５の励磁が解かれると、可動鉄心６はバックスプリング９によって元の状態に復帰するとともに、これに連動して接点支持部２７も元の位置に戻り、突起部７ｂが消弧装置２３の上面２３ｃと面一の状態になることで、電磁接触器のオフ状態を表示することができる。
【００１６】
これにより、消弧装置２３に動作表示機構を別部品で設けることなく、電磁接触器の動作状態を表示させることが可能となるとともに、消弧装置２３の上面２３ｃに角穴を形成する必要がなくなり、コストアップを抑制することが可能となる。また、オフ状態時に突起部７ｂが消弧装置２３の上面２３ｃとほぼ面一になるようにすることで、電磁接触器の手動投入を防止することができ、安全性を向上させることができる。
【００１７】
さらに、多相として構成された支持枠７ｄの両外側の２箇所に突起部７ｂを設けることで、点検前に接点の溶着状態を推測することが可能となり、電磁接触器の保守性を向上させることができる。すなわち、電磁接触器のオフ状態時に左右の突起部７ｂが同じ程度に引っ込んでいると、中央相または多相の溶着を推測することができ、左右の突起部７ｂの引っ込み具合が異なる場合、端部の接点の溶着を推測することができる。
【図面の簡単な説明】
【００１８】
【図１】本発明の一実施形態に係る電磁接触器の概略構成を示す正面図である。
【図２】本発明の一実施形態に係る電磁接触器の概略構成を示す斜視図である。
【図３】本発明の一実施形態に係る消弧装置２３の概略構成を示す斜視図である。
【図４】本発明の一実施形態に係る接点支持部２７の概略構成を示す斜視図である。
【図５】従来の電磁接触器の概略構成を示す正面図である。
【図６】従来の電磁接触器の概略構成を示す斜視図である。
【図７】従来の電磁接触器のオフ状態時における概略構成を示す縦断面図である。
【図８】従来の電磁接触器のオフ状態時における概略構成を示す横断面図である。
【図９】従来の電磁接触器のオン状態時における概略構成を示す縦断面図である。
【図１０】従来の接点支持部７の概略構成を示す斜視図である。
【符号の説明】
【００１９】
１  下部フレーム
２  上部フレーム
２３  消弧装置
３ａ  角孔
３ｂ  表示孔
３ｃ  上面
４  電子ユニット
５  固定電磁石
５ａ  固定鉄心
６  可動鉄心
２７  接点支持部
７ａ  支持枠上面
７ｂ  突起部
７ｄ  支持枠
８  バックスプリングガイド
９  バックスプリング
１０  連結ピン
１１  支持金具
１２  主可動接点
１３  緩衝バネ
１４  主接触スプリング
１５  主端子板
１６  主固定接点
１７  導弧板
１８  表示棒
１９  圧縮スプリング
２０  補助接点ユニット
【図１】
2008027656.tif 000003
【図２】
2008027656.tif 000004
【図３】
2008027656.tif 000005
【図４】
2008027656.tif 000006
【図５】
2008027656.tif 000007
【図６】
2008027656.tif 000008
【図７】
2008027656.tif 000009
【図８】
2008027656.tif 000010
【図９】
2008027656.tif 000011
【図１０】
2008027656.tif 000012